【事件の表示】
　特許第２９４８１８８号「コンバインの刈取装置」の請求項１ないし４に係る特許に対する特許異議の申立てについて、次のとおり決定する。
【結　論】
　訂正を認める。
　特許第２９４８１８８号の請求項１ないし２に係る特許を維持する。
【理　由】
１．手続きの経緯
　本件特許第２９４８１８８号の請求項１ないし請求項４に係る発明の出願は、平成６年５月２６日に特許出願された特願平６−１３８３６３号を平成１０年１月２６日に分割して特願平１０−２９３１７号としたものであって、平成１１年７月２日に特許の設定登録がなされ、その後、井関農機株式会社より特許異議申立てなされ、取消理由通知がなされ、その指定期間内である平成１２年１１月３０日に訂正請求がなされたものである。
２．訂正の適否についての判断
ア．訂正の要旨
訂正事項ａ
　特許明細書の請求項１の、「機体前後方向に延出させた刈取連結パイプ先端に刈取部を機体左右方向にスライド自在に支持させるコンバインの刈取装置において、刈取連結パイプ先端にガイドケースを介して機体左右方向にスライド自在に支持させるスライドパイプを設けると共に、スライドパイプをスライドさせる油圧シリンダを設けたことを特徴とするコンバインの刈取装置。」の記載を、「機体前後方向に延出させた刈取連結パイプ（２９）先端に刈取部（７）を機体左右方向にスライド自在に支持させるコンバインの刈取装置において、刈取連結パイプ（２９）先端にガイドケース（３６）を一体連結すると共に、刈取部（７）を支持するスライドパイプ（３７）の内部に刈取連結パイプ（２９）内から刈取部（７）に動力を伝達する横伝動軸（６３）を納め、該スライドパイプ（３７）を前記ガイドケース（３６）を介して機体左右方向にスライド自在に構成し、スライドパイプ（３７）をスライドさせる油圧シリンダ（４３）を設けたことを特徴とするコンバインの刈取装置。」と訂正し、
　請求項２の、「ガイドケースとスライドパイプ一端に連結する伝動ケース間に油圧シリンダを設ける請求項１記載のコンバインの刈取装置。」の記載を、「油圧シリンダ（４３）はガイドケース（３６）とスライドパイプ（３７）の右端に連結する右伝動ケース（３９）間に設けたことを特徴とする請求項１記載のコンバインの刈取装置。」と訂正する。
　特許明細書の請求項３および請求項４を削除する。 
訂正事項ｂ
　特許明細書の【課題を解決するための手段】の項の、「然るに本発明のコンバインの刈取装置は、機体前後方向に・・・該開口部で縦伝動軸上のべベルギヤと横伝動軸上のべベルギヤを噛合わせることを特徴とする。」を、「本発明によるコンバインの刈取装置は、前記の問題点を解決するために、機体前後方向に延出させた刈取連結パイプ先端に刈取部を機体左右方向にスライド自在に支持させるコンバインの刈取装置において、刈取連結パイプ先端にガイドケースを一体連結すると共に、刈取部を支持するスライドパイプの内部に刈取連結パイプ内から刈取部に動力を伝達する横伝動軸を納め、該スライドパイプを前記ガイドケースを介して機体左右方向にスライド自在に構成し、スライドパイプをスライドさせる油圧シリンダを設けたことを特徴とする。」と訂正し、【作用】の項の、「刈取連結パイプ内部の縦伝動軸と駆動連結させることができるから、」を、「刈取連結パイプ内からの動力を刈取部に伝達するから、」と訂正する。また、【発明の効果】の項の、「スライド自在に支持させると共に、刈取連結パイプ（２９）の・・・横伝動軸（６３）を納めて刈取連結パイプ（２９）内部の縦伝動軸（６０）と駆動連結させることができるから、」を、「スライド自在に支持させるコンバインの刈取装置において、刈取連結パイプ（２９）先端にガイドケース（３６）を一体連結すると共に、刈取部（７）を支持するスライドパイプ（３７）の内部に刈取連結パイプ（２９）内から刈取部（７）に動力を伝達する横伝動軸（６３）を納め、該スライドパイプ（３７）を前記ガイドケース（３６）を介して機体左右方向にスライド自在に構成し、スライドパイプ（３７）をスライドさせる油圧シリンダ（４３）を設けたから、」と訂正する。
訂正事項ｃ
　特許明細書の段落番号【０００６】、【００２２】の、「発生し難くくなり」を、「発生しにくくなり」と訂正する。
・同書の段落番号【００１２】の、「下端」とあるを、「先端」と訂正する。
・同書の段落番号【００１３】の、「左右伝動ケース」とあるを、「左右伝動ケース（３８）（３９）」と訂正する。
・同書の段落番号【００１５】の、「調節を」とあるを、「調節が」と訂正する。　
・同書の段落番号【００１８】の、「右回動支点パイプ（３２）」とあるを、「上下回動支点パイプ（３２）」と訂正する。
・同書の段落番号【００１８】の、「左端」とあるを、「右端」と訂正する。
・同書の段落番号【００１８】の、「右端から」とあるを、「左端から」と訂正する。
・同書の段落番号【００１９】の、「スライドパイプ（２９）」とあるを、「スライドパイプ（３７）」と訂正する。
・同書の段落番号【００１９】の、「右穂先搬送チェン（２３）」とあるを、「右穂先搬送タイン（２３）」と訂正する。
・同書の【００１９】の、「出力スプロケット（３０）」とあるを、「出力スプロケット（７０）」と訂正する。
・同書の段落番号【００２０】の、「スライドパイプ（３４）」、「スライドパイプ（７４）」を、「スライドパイプ（３７）」と訂正する。
・同書の段落番号【００２０】の、「横伝動軸（６２）」とあるを、「横伝動軸（６３）」と訂正する。
・同書の段落番号【００２１】の、「スライドパイプ（３６）」（２箇所）とあるを、「スライドパイプ（３７）」と訂正する。
・同書の段落番号【００２１】の、「中央横軸（６３ａ）」とあるを、「中央横伝動軸（６３ａ）」と訂正する。
訂正事項ｄ
　特許明細書の【従来の技術】の項の末尾に、「（例えば、特開平１−１２８７１４号公報、実開昭６４−２２２３０号公報等参照）」を追記し、【符号の説明】の項中に、「（３９）右伝動ケース」と、「（４３）　油圧シリンダ」とを追記する。
イ．訂正の目的の適否、新規事項の有無及び拡張・変更の存否
訂正事項ａについて
　段落番号【００１２】には、刈取連結パイプ（２９）の下端にガイドケース（３６）が一体連結され、刈取部（７）のスライド支点であるスライドパイプ（３７）をガイドケース（３６）に機体左右方向に摺動自在に構成することが記載され、段落番号【００１４】には、ガイドケース（３６）の刈取連結パイプ（２９）の連結面と反対側面と右伝動ケース（３９）間に刈取スライド用油圧シリンダ（４３）を架設し、刈取スライド用油圧シリンダ（４３）の伸縮動作により機体左右方向に刈取部（７）をスライドすることが記載され、段落番号【００１８】には、刈取連結パイプ（２９）、スライドパイプ（３７）の各内部を通して刈取部（７）の左右伝動ケース（３８）（３９）に動力を伝達することが記載され、段落番号【００１９】には、スライドパイプ（２９）内部でこの軸芯上に横伝動軸（６３）を軸架することが記載されており、さらに図１の記載からみて、訂正事項ａによる請求項１および請求項２の訂正は、願書に添付した明細書及び図面に記載された事項の範囲内のものであるから、訂正事項ａによる訂正は、訂正前の特許請求の範囲を減縮することを目的とするものであって、新規事項の追加に該当せず、実質上特許請求の範囲を拡張または変更するものではない。
訂正事項ｂについて
　訂正事項ｂによる訂正は、訂正事項ａによる訂正後の特許請求の範囲の内容と、発明の詳細な説明の内容との整合を図るものであり、明りょうでない記載の釈明を目的とするものである。
訂正事項ｃ、ｄについて
　訂正事項ｃおよび訂正事項ｄによる訂正は、誤記の訂正および明りょうでない記載の釈明を目的とするものである。
ウ．むすび
　以上のとおりであるから、上記訂正は、特許法第１２０条の４第２項及び第３項で準用する特許法第１２６条第２−３項の規定に適合するので、当該訂正を認める。
３．特許異議の申立てについて
ア．申立ての理由の概要
　申立人井関農機株式会社は、特許請求の範囲の請求項３に係る発明の記載は不備であり、発明の詳細な説明の【作用】および【効果】の記載は、請求項１ないし４の記載内容と対応せず不備であるので、本件発明は特許法第３６条第４項乃至第５項に規定に違反するものであり、また、請求項１記載の発明は、甲第１号証の１（特開平１−１２８７１４号公報）、甲第１号証の２（特開平１−１２８７１５号公報）、甲第２号証の１（実願昭４６−１１００９３号、実開昭４８−６４３２５号のマイクロフィルム）、甲第２号証の２（特開昭４８−６１２１６号公報）をもとに容易に発明することができたものであり、請求項２、４記載の発明は、甲第１号証の１、甲第１号証の２、甲第２号証の１、甲第２号証の２、甲第３号証（実公平６−３７６３７号公報）をもとに容易に発明することができたものであるので、特許法第２９条第２項の規定に違反するので、本件発明の特許は、特許法第１１３条第１項第２号の規定により取り消されるべき旨主張している。
イ．訂正後の請求項に係る発明
　訂正後の請求項１、２に係る発明は、その特許請求の範囲の請求項１、２に記載された次の事項により特定されるとおりのものである。
「【請求項１】機体前後方向に延出させた刈取連結パイプ（２９）先端に刈取部（７）を機体左右方向にスライド自在に支持させるコンバインの刈取装置において、刈取連結パイプ（２９）先端にガイドケース（３６）を一体連結すると共に、刈取部（７）を支持するスライドパイプ（３７）の内部に刈取連結パイプ（２９）内から刈取部（７）に動力を伝達する横伝動軸（６３）を納め、該スライドパイプ（３７）を前記ガイドケース（３６）を介して機体左右方向にスライド自在に構成し、スライドパイプ（３７）をスライドさせる油圧シリンタ（４３）を設けたことを特徴とするコンバインの刈取装置。
（以下、「本件発明１」という。）
「【請求項２】油圧シリンダ（４３）はガイドケース（３６）とスライドパイプ（３７）の右端に連結する右伝動ケース（３９）間に設けたことを特徴とする請求項１記載のコンバインの刈取装置。」
（以下、「本件発明２」という。）
ウ．甲号証記載の発明
　甲第１号証の１（特開平１−１２８７１４号公報）には、「機体前後方向に延出させた刈取連結パイプ先端に刈取部を機体左右方向にスライド自在に支持させるコンバインの刈取装置において、刈取連結パイプ先端にガイドケースを介して機体左右方向にスライド自在に支持させるスライドパイプを設けると共に、スライドパイプをスライドさせる油圧シリンダを設けたコンバインの刈取装置」の発明が記載されている。
　甲第１号証の２（特開平１−１２８７１５号公報）には、「機体前後方向に延出させた刈取連結パイプ先端に刈取部を機体左右方向にスライド自在に支持させるコンバインの刈取装置において、刈取連結パイプ先端にガイドケースを介して機体左右方向にスライド自在に支持させるスライドパイプを設けると共に、スライドパイプをスライドさせる油圧シリンダを設けたコンバインの刈取装置」の発明が記載されている。
　甲第２号証の１（実願昭４６−１１００９３号、実開昭４８−６４３２５号のマイクロフィルム）には、「刈取部をスライドさせるにあたり、油圧シリンダによって、スライドパイプをスライドさせる」という技術が開示されている。
　甲第２号証の２（特開昭４８−６１２１６号公報）には、「刈取部をスライドさせるにあたり、油圧シリンダによって、スライドパイプをスライドさせる」という技術が開示されている。
　甲第３号証（実公平６−３７６３７号公報、平成６年１０月５日公告）は、本件特許出願の出願日前の刊行物ではないが、それに対応する実願昭６２−１１８３８０号（実開昭６４−２２２３０号）のマイクロフィルム（取消理由通知で引用した引用例４）には、「機体前後方向に延出させた刈取連結パイプ先端に刈取部を機体左右方向にスライド自在に支持させるコンバインの刈取装置において、刈取連結パイプ先端にガイドケースを介して機体左右方向にスライド自在に支持させるスライドパイプを設けると共に、スライドパイプをスライドさせる油圧シリンダを設けたコンバインの刈取装置において、ガイドケースとスライドパイプ一端に連結する伝動ケース間に油圧シリンダを設けたコンバインの刈取装置」の発明が記載されている。
エ．当審の判断
（１）特許法第２９条第２項違反について
　本件発明１と甲第１号証の１乃至甲第３号証に記載の発明とを対比すると、甲第１号証の１乃至甲第３号証に記載の発明は、本件発明１を特定する事項である、「刈取部（７）を支持するスライドパイプ（３７）の内部に刈取連結パイプ（２９）内から刈取部（７）に動力を伝達する横伝動軸（６３）を納め、」という事項を備えておらず、当該事項により本件発明１は、刈取部のスライド支点と同軸上で横伝動軸が摺動し、軸のこじれが発生しないという顕著な効果を奏するものであり、本件発明１が甲第１号証の１乃至甲第３号証に記載のものから容易に発明をすることができたものとは言えない。
　本件発明２は、本件発明１を技術的に限定するものであるので、本件発明１で示した対比・判断と同じ理由により、甲第１号証の１乃至甲第３号証に記載のものから容易に発明をすることができたものとは言えない。
（２）特許法第３６条第４項乃至第５項違反について
  上記の「２．訂正の適否についての判断、イ．訂正の目的の適否、新規事項の有無及び拡張・変更の存否」で述べたとおり、訂正請求は適法であるものと認められ、当該訂正請求に基づき訂正明細書が提出され、明細書の記載不備は全て解消したので、異議申立人の主張は理由がないものとなった。
４．むすび
　以上のとおりであるから、特許異議申立ての理由及び証拠によっては本件請求項１および請求項２に係る発明の特許を取り消すことはできない。
　また、他に本件請求項１および請求項２に係る発明の特許を取り消すべき理由を発見しない。
　よって、結論のとおり決定する。　
【異議決定日】
平成１３年１月１８日（２００１．１．１８）
【訂正の要旨】
（訂正の要旨）
訂正事項ａ
　請求項１の、「機体前後方向に延出させた刈取連結パイプ先端に刈取部を機体左右方向にスライド自在に支持させるコンバインの刈取装置において、刈取連結パイプ先端にガイドケースを介して機体左右方向にスライド自在に支持させるスライドパイプを設けると共に、スライドパイプをスライドさせる油圧シリンダを設けたことを特徴とするコンバインの刈取装置。」の記載を、「機体前後方向に延出させた刈取連結パイプ（２９）先端に刈取部（７）を機体左右方向にスライド自在に支持させるコンバインの刈取装置において、刈取連結パイプ（２９）先端にガイドケースを一体連結すると共に、刈取部（７）を支持するスライドパイプ（３７）の内部に刈取連結パイプ（２９）内から刈取部（７）に動力を伝達する横伝動軸（６３）を納め、該スライドパイプ（３７）を前記ガイドケース（３６）を介して機体左右方向にスライド自在に構成し、スライドパイプ（３７）をスライドさせる油圧シリンダ（４３）を設けたことを特徴とするコンバインの刈取装置。」と訂正し、
　請求項２の、「ガイドケースとスライドパイプ一端に連結する伝動ケース間に油圧シリンダを設ける請求項１記載のコンバインの刈取装置。」の記載を、「油圧シリンダ（４３）はガイドケース（３６）とスライドパイプ（３７）の右端に連結する右伝動ケース（３９）間に設けたことを特徴とする請求項１記載のコンバインの刈取装置。」と訂正する。
　請求項３および請求項４を削除する。
訂正事項ｂ
　【課題を解決するための手段】の項の、「然るに本発明のコンバインの刈取装置は、機体前後方向に…該開口部で縦伝動軸上のベベルギヤと横伝動軸上のベベルギヤを噛合わせることを特徴とする。」を、「本発明によるコンバインの刈取装置は、前記の問題点を解決するために、機体前後方向に延出させた刈取連結パイプ先端に刈取部を機体左右方向にスライド自在に支持させるコンバインの刈取装置において、刈取連結パイプ先端にガイドケースを一体連結すると共に、刈取部を支持するスライドパイプの内部に刈取連結パイプ内から刈取部に動力を伝達する横伝動軸を納め、該スライドパイプを前記スライドパイプを介してスライドさせる油圧シリンダを設けたことを特徴とする。」と訂正し、【作用】の項の、「刈取連結パイプ内部の縦伝動軸と駆動連結させることができるから、」を、「刈取連結パイプ内からの動力を刈取部に伝達するから、」と訂正する。また、【発明の効果】の項の、「スライド自在に支持させると共に、刈取連結パイプ（２９）の…横伝動軸（６３）を納めて刈取連結パイプ（２９）内部の縦伝動軸（６０）と駆動連結させることができるから、」を、「スライド自在に支持させるコンバインの刈取装置において、刈取連結パイプ（２９）先端にガイドケース（３６）を一体連結すると共に、刈取部（７）を支持するスライドパイプ（３７）の内部に刈取連結パイプ（２９）内から刈取部（７）に動力を伝達する横伝動軸（６３）を納め、該スライドパイプ（３７）を前記ガイドケース（３６）を介して機体左右方向にスライド自在に構成し、スライドパイプ（３７）をスライドさせる油圧シリンダ（４３）を設けたから、」と訂正する。
訂正事項ｃ
　特許明細書の段落番号【０００６】、【００２２】の、「発生し難くくなり」を、「発生しにくくなり」と訂正する。
・同書の段落番号【００１２】の、「下端」とあるを、「先端」と訂正する。
・同書の段落番号【００１３】の、「左右伝動ケース」とあるを、「左右伝動ケース（３８）（３９）」と訂正する。
・同書の段落番号【００１５】の、「調節を」とあるを、「調節が」と訂正する。
・同書の段落番号【００１８】の、「右回動支点パイプ（３２）」とあるを、「上下回動支点パイプ（３２）」と訂正する。
・同書の段落番号【００１８】の、「左端」とあるを、「右端」と訂正する。
・同書の段落番号【００１８】の、「右端から」とあるを、「左端から」と訂正する。
・同書の段落番号【００１９】の、「スライドパイプ（２９）」とあるを、「スライドパイプ（３７）」と訂正する。
・同書の段落番号【００１９】の、「右穂先搬送チェン（２３）」とあるを、「右穂先搬送タイン（２３）」と訂正する。
・同書の【００１９】の、「出力スプロケット（３０）」とあるを、「出力スプロケット（７０）」と訂正する。
・同書の段落番号【００２０】の、「スライドパイプ（３４）」、「スライドパイプ（７４）」を「スライドパイプ（３７）」と訂正する。
・同書の段落番号【００２０】の、「横伝動軸（６２）」、とあるを、「横伝動軸（６３）」と訂正する。
・同書の段落番号【００２１】の、「スライドパイプ（３６）」（２箇所）とあるを、「スライドパイプ（３７）」と訂正する。
・同書の段落番号【００２１】の、中央横軸（６３ａ）」とあるを、「中央横伝動軸（６３ａ）」と訂正する。
訂正事項ｄ
　特許明細書の【従来の技術】の項の末尾に、「（例えば、特開平１−１２８７１４号公報、実開昭６４−２２２３０号公報等参照）」を追記し、【符号の説明】の項中に、「（３９）右伝動ケース」と、「（４３）油圧シリンダ」とを追記する。
（５４）【発明の名称】
コンバインの刈取装置
（５７）【特許請求の範囲】
　　【請求項１】　機体前後方向に延出させた刈取連結パイプ
（２９）
（７）
（２９）
ガイドケース（３６）を一体連結すると共に、刈取部（７）を支持するスライドパイプ（３７）の内部に刈取連結パイプ（２９）内から刈取部（７）に動力を伝達する横伝動軸（６３）を納め、該スライドパイプ（３７）を前記ガイドケース（３６）を介して機体左右方向にスライド自在に構成し、
（３７）
（４３）
　　【請求項２】　
油圧シリンダ（４３）はガイドケース（３６）とスライドパイプ（３７）の右端に連結する右伝動ケース（３９）間に設けたことを特徴とする
【発明の詳細な説明】
　　　【０００１】
　　【産業上の利用分野】
　本発明は、機体前後方向に延出した刈取連結パイプ先端に刈取部を機体左右方向にスライド自在に支持させるコンバインの刈取装置に関する。
　　　【０００２】
　　【従来の技術】
　従来、左右刈取フレームと左右伝動ケースを両端に保持する横連結パイプを、刈取連結パイプ先端に機体左右方向にスライド自在に嵌合保持させると共に、左右伝動ケース間に設ける横伝動軸を刈取連結パイプ先端に貫通させて横連結パイプと平行に横架し、刈取連結パイプ内部を通す縦伝動軸先端を刈取連結パイプ内部で一対のベベルギヤを介して横伝動軸に駆動連結させ、横伝動軸上のベベルギヤは横伝動軸の摺動を許与し乍ら横伝動軸と一体回転させることにより、スライドしない縦伝動軸からスライドする刈取部の横伝動軸に動力を伝達する技術があった。
（例えば、特開平１−１２８７１４号公報、実開昭６４−２２２３０号公報等参照）
　　　【０００３】
　　【発明が解決しようとする課題】
　前記従来技術は、刈取部のスライド支点つまり横連結パイプの軸芯に対し偏心した位置に横伝動軸を設けていたから、横伝動軸のこじ等が発生すると共に、刈取連結パイプ先端で横連結パイプ及び横伝動軸並びに横連結パイプを支点に刈取部が回動ずるのを規制するガイドフレーム等が機体左右方向に横架され、藁屑の巻付きや泥の付着等が発生し、また横連結パイプ及び横伝動軸ごとに防塵及び防泥対策を施す必要があった。
　　　【０００４】
　本発明の目的は、横伝動軸を刈取部のスライド支点部に納め、従来のような問題を発生させることのないコンバインの刈取装置を提供することにある。
　　　【０００５】
　　【課題を解決するための手段】
　
本発明によるコンバインの刈取装置は、前記の問題点を解決するために、
コンバインの刈取装置において、刈取連結パイプ先端にガイドケースを一体連結すると共に、刈取部を支持するスライドパイプの内部に刈取連結パイプ内から刈取部に動力を伝達する横伝動軸を納め、該スライドパイプを前記ガイドケースを介して機体左右方向にスライド自在に構成し、スライドパイプをスライドさせる油圧シリンダを設けた
　　　【０００６】
　　【作用】
　従って本発明のコンバインの刈取装置によれば、刈取部のスライド支点であるスライドパイプ内部に横伝動軸を納めて
刈取連結パイプ内からの動力を刈取部に伝達するから
発生しにくくなり
　　　【０００７】
　　【実施例】
　以下本発明の実施例を図面に基づいて詳述する。
　　　【０００８】
　図１は刈取スライド部の断面説明図、図２はコンバインの全体側面図、図３は同平面図であり、図中（１）は左右走行クロ−ラ（２）を装設するトラックフ−ム、（３）は前記トラックフレ−ム（１）上に架設する機台、（４）はフィ−ドチエン（５）を左側に張架し扱胴（６）を内装している脱穀部、（７）は穀稈縦搬送装置を備える刈取部、（８）は排藁処理部、（９）は運転席（１０）及び運転操作部（１１）を備える運転台、（１２）は脱穀部（４）からの穀粒を揚穀筒（１３）を介し溜める穀粒タンク、（１４）は前記穀粒タンク（１２）内の穀粒を機外に取出す排出オ−ガ、（１５）はコンバインの各部を駆動するエンジンであり、連続的に刈取り・脱穀作業を行うように構成している。
　　　【０００９】
　図４及び図５にも示す如く、刈取部（７）は、分草板（１６）を介し取入れられる未刈穀稈を起立させる引起タイン（１７）を有する３条用引起ケ−ス（１８）と、この引起された穀稈の稈元側を掻込むスタ−ホイル（１９）及び掻込ベルト（２０）と、この掻込時稈元側を切断する刈刃（２１）と、切断後の右側１条分の穀稈の稈元側及び穂先側を左斜め後方に搬送する右稈元搬送チエン（２２）及び上下一対の右穂先搬送タイン（２３）と、切断後の左側２条分の穀稈の稈元側及び穂先側を右斜め後方の右稈元搬送チエン（２２）の送り終端位置近傍に合流させる左稈元搬送チエン（２４）及び上下一対の右穂先搬送タイン（２５）とを有すると共に、右稈元搬送チエン（２２）の送り終端に合流する３条分の穀稈の稈元側及び穂先側を前記フィ−ドチエン（５）の送り始端に搬送受継ぎする縦搬送チエン（２６）及び縦搬送タイン（２７）を備え、刈取られた３条分の穀稈を刈取部（７）の左右稈元搬送チエン（２４）（２２）及び左右穂先搬送タイン（２５）（２３）と縦搬送チエン（２６）及び縦搬送タイン（２７）とで形成されるＹ字形穀稈搬送経路を介してフィ−ドチエン（５）に受継ぎさせて脱穀処理させるように構成している。
　　　【００１０】
　脱穀部（４）の前側から、機台（３）の前端に固設する走行ミッション（２８）と左走行クロ−ラ（２）の間を通して、前方斜め下方に延出させる縦伝動ケ−スである刈取連結パイプ（２９）を備える。
　　　【００１１】
　刈取連結パイプ（２９）の上端（走行機体側）には入力ケ−ス（３０）が固設され、入力ケ−ス（３０）の左右側面から刈取部（７）の上下回動支点パイプ（３１）（３２）が同一軸芯上で機体左右方向に突出固定されている。左右の上下回動支点パイプ（３１）（３２）を機台（３）前端に立設固定する左右受台（３３）（３４）に回動自在に支持させ、刈取連結パイプ（２９）と機台（３）間に刈取昇降用油圧シリンダ（３５）を架設している。
　　　【００１２】
　刈取連結パイプ（２９）の
先端
　　　【００１３】
　スライドパイプ（３７）の左端に引起ケ−ス（１８）及び左稈元搬送チエン（２４）及び左穂先搬送タイン（２５）へ動力伝達する左伝動ケ−ス（３８）を取付けると共に、スライドパイプ（３７）の右端に刈刃（２１）及び右稈元搬送チエン（２２）及び右穂先搬送タイン（２３）へ動力伝達する右伝動ケ−ス（３９）を取付け、スライドパイプ（３７）を
左右伝動ケ−ス（３８）（３９）
　　　【００１４】
　機体前後方向に平行に延出させる４本の刈取フレ−ム（４０）を備え、各刈取フレ−ム（４０）の後端が横連結パイプ（４１）で一体連結され、横連結パイプ（４１）の左右端部を連結フレ−ム（４２）を介して左右伝動ケ−ス（３８）（３９）の外側端部に一体連結し、ガイドケ−ス（３６）の刈取連結パイプ（２９）の連結面と反対側面と右伝動ケ−ス（３９）間に刈取スライド用油圧シリンダ（４３）を架設し、刈取昇降用油圧シリンダ（３５）の伸縮動作により上下回動支点パイプ（３１）（３２）を支点に刈取部（７）を昇降させ、また刈取スライド用油圧シリンダ（４３）の伸縮動作により機体左右方向に刈取部（７）をスライドさせるように構成している。
　　　【００１５】
　刈取連結パイプ（２９）上端の入力ケ−ス（３０）に上下回動支点パイプ（３１）（３２）と直角な縦軸回りに回動自在に取付ける縦搬送用の伝動ケ−ス（４４）を設けると共に、伝動ケ−ス（４４）に上下回動支点パイプ（３１）（３２）と平行な縦軸回りに回動自在に取付ける縦搬送用の駆動ケ−ス（４５）を設け、縦搬送チエン（２６）及び縦搬送タイン（２７）の送り終端側を駆動ケ−ス（４５）に支持させ、刈取部（７）の昇降及びスライドに縦搬送チエン（２６）及び縦搬送タイン（２７）を追従移動させ、また縦搬送チエン（２６）及び縦搬送タイン（２７）を単独で昇降させて扱深さ
調節が
　　　【００１６】
　図４及び図６に示す如く、刈取フレ−ム（４０）前端側に一体連結した支持パイプ（４６）に各引起ケ−ス（１８）下部を支持させている。左伝動ケ−ス（３８）に立設固定する引起伝動パイプ（４７）上端から機体右側に横伝動パイプ（４８）を一体延出させると共に、横伝動パイプ（４８）右端側を最も右側の刈取フレ−ム（４０）に連結パイプ（図示省略）を介して支持させ、各引起ケ−ス（１８）の上部を横伝動パイプ（４８）に設けるチエンケ−ス（４９）に支持させている。
　　　【００１７】
　一端を入力ケ−ス（３０）に固設させ、且つ、他端を刈取連結パイプ（２９）中間部に固設させる刈取上部連結パイプ（５０）を備え、運転操作部（１１）の左側縁に沿って機体前後方向に架設する刈取サイドパネル（５１）中間部を刈取上部連結パイプ（５０）上面側に固設すると共に、下端を刈取上部連結パイプ（５０）の前面側に軸支させ、且つ、上端を刈取サイドパネル（５１）の中間部に軸支させる垂直な刈取上部後支軸（５２）を設け、また横伝動パイプ（４８）中間部にブラケット（５３）を介して垂直な刈取上部前支軸（５４）を設ける。前後支軸（５４）（５２）間に張架する回動フレ−ム（５５）を備え、回動フレ−ム（５５）の後端に固設する垂直な後軸受パイプ（５６）を後支軸（５２）の外側に回動自在に嵌合支持させると共に、回動フレ−ム（５５）の前端に固設する垂直な前軸受パイプ（５７）を前支軸（５４）外側に回動自在に嵌合支持させ、刈取部（７）を刈取上部連結パイプ（５０）及び回動フレ−ム（５５）によって保持させ、スライドパイプ（３７）を支点に刈取部（７）が回動ずるのを、刈取上部連結パイプ（５０）及び回動フレ−ム（５５）により規制し、刈取部（７）のスライドに追従して回動フレ−ム（５５）を水平方向に回動させるように構成している。
　　　【００１８】
　図１に示す如く、刈取部（７）の
上下回動支点パイプ（３２）
上下回動支点パイプ（３２）
右端に
左端から
　　　【００１９】
　
スライドパイプ（３７）
右穂先搬送タイン（２３）
出力スプロケット（７０）
　　　【００２０】
　縦伝動軸（６０）下端と横伝動軸（６３）との駆動連結は、縦伝動軸（６０）上に設けるベベルギヤ（７１）と横伝動軸（６３）上に設けるベベルギヤ（７２）との噛合いで行うもので、スライドパイプ（３７）の刈取連結パイプ（２９）側に開口（７３）を形成し、ガイドケ−ス（３６）の刈取連結パイプ取付部（３６ａ）に刈取連結パイプ（２９）下端の取付フランジ（７４）内面から刈取連結パイプ取付部（３６ａ）内部に縦伝動軸（６０）下端を回動自在に軸支させる軸受部（７５）を一体延出すると共に、取付フランジ（７４）内面から開口（７３）を介して
スライドパイプ（３７）
スライドパイプ（３７）
横伝動軸（６３）
　　　【００２１】
　図７に示す如く、横伝動軸（６３）を、縦伝動軸（６０）とべベルギヤ（７１）（７２）を介して駆動連結する中央横伝動軸（６３ａ）と、出力軸（６４）とべベルギヤ（６５）（６６）を介して駆動連結する左横伝動軸（６３ｂ）と刈刃駆動軸（６７）とべベルギヤ（６８）（６９）を介して駆動連結し、且つ、軸上に出力スプロケット（７０）を設ける右横伝動軸（６３ｃ）とに分割し、中央横伝動軸（６３ａ）中間部を軸方向の摺動を規制して軸受部（７２ａ）に回転自在に軸支させると共に、ベベルギヤ（７２）を中央横伝動軸（６３ａ）中間部に軸方向の摺動を規制して一体回転自在に嵌合させ、また中央横伝動軸（６３ａ）の中間部より左側を摺動自在に嵌合させる左筒軸（７７）を左横伝動軸（６３ｂ）に一体連結し、左筒軸（７７）外面を
スライドパイプ（３７）
スライドパイプ（３７）
中央横伝動軸（６３ａ）
　　　【００２２】
　　【発明の効果】
　以上実施例から明らかなように本発明は、機体前後方向に延出させた刈取連結パイプ（２９）先端に刈取部（７）を機体左右方向にスライド自在に支持させる
コンバインの刈取装置において、刈取連結パイプ（２９）先端にガイドケース（３６）を一体連結すると共に、刈取部（７）を支持するスライドパイプ（３７）の内部に刈取連結パイプ（２９）内から刈取部（７）に動力を伝達する横伝動軸（６３）を納め　該スライドパイプ（３７）を前記ガイドケース（３６）を介して機体左右方向にスライド自在に構成し、スライドパイプ（３７）をスライドさせる油圧シリンダ（４３）を設けたから
発生しにくくなり
【図面の簡単な説明】
　　【図１】
　刈取スライド部の断面説明図。
　　【図２】
　コンバインの全体側面図。
　　【図３】
　コンバインの全体平面図。
　　【図４】
　刈取部の側面図。
　　【図５】
　刈取部の平面図。
　　【図６】
　刈取部の保持構造を示す平面図。
　　【図７】
　刈取部への動力伝達の変形例を示す刈取スライド部の断面説明図。
　　【符号の説明】
　（７）　　刈取部
　（２９）　刈取連結パイプ
　（３６）　ガイドケース
　（３７）　スライドパイプ
　
（３９）　右伝動ケース
　
（４３）　油圧シリンダ
　（５９）　刈取入力軸
　（６０）　縦伝動軸
　（６３）　横伝動軸
　（７１）（７２）　ベベルギヤ
　（７３）　開口